(57)【要約】【課題】無線移動局によりオフ周波数パイロット探索を最適化する方法及び装置【解決手段】無線移動電話（４００）は、「オフ周波数探索」、すなわち、移動局のアクティブセットにおけるパイロット信号とは周波数が異なる基地局パイロット信号の探索のパフォーマンスを管理するように作動する。（低減電力スリープモードから出ることに応答するなど）周波数探索が実行されるたびに、前記移動局は、規定されたアクティブセット周波数に対して、オン周波数パイロット信号探索（９０２）を実行する。規定されたオフ周波数探索条件（９０３から９０８）が満たされた場合にのみ、前記移動局は、１つ以上の隣接する基地局の周波数に対して、オフ周波数パイロット信号探索（９１２）を追加的に実行する。
2006509471.tif 000002
【特許請求の範囲】
【請求項１】
無線移動電話を作動させる方法であって、
オフ周波数探索条件が満たされているか否かを判断することと、
少なくとも１つの規定されたアクティブセット周波数に対するオン周波数パイロット信号探索を含む周波数探索プロセスを実行することと、
前記オフ周波数探索条件が満たされた場合に、少なくとも１つの隣接基地局周波数に対するオフ周波数パイロット信号探索を追加的に実行することとを備える、方法。
【請求項２】
前記オフ周波数パイロット信号探索は、全てのオン周波数パイロット信号探索が終了した後に実行される、請求項１に記載の方法。
【請求項３】
前記オフ周波数パイロット信号探索は、いずれかのオフ周波数パイロット信号探索を開始する前に完了する、請求項１に記載の方法。
【請求項４】
無線移動通信装置を作動させる方法であって、
オフ周波数探索条件が満たされているか否かを判断することと、
パイロット信号探索を実行することと、
前記オフ周波数探索条件が満たされていない場合に、前記パイロット信号探索を、前記装置のアクティブセットの基地局によって利用される少なくとも１つのアクティブセット周波数に限定することとを備える、方法。
【請求項５】
前記オフ周波数探索条件が満たされた場合に、オフ周波数パイロット信号探索を、前記アクティブセット周波数とは異なる１つ以上の周波数に対して実施することをさらに備える、請求項４に記載の方法。
【請求項６】
前記オフ周波数探索条件が満たされているかを判断することが、前記アクティブセットの基地局のカウントが、規定された数よりも小さいか否かを判断することを備える、請求項４に記載の方法。
【請求項７】
前記オフ周波数探索条件が満たされているかを判断することが、前記アクティブセットの基地局からのパイロット信号の最大信号対雑音比が、規定レベルよりも小さいか否かを判断することを備える、請求項４に記載の方法。
【請求項８】
前記オフ周波数探索条件が満たされているかを判断することが、前記装置の候補セットにあり、かつ前記アクティブセット周波数のパイロット信号を用いる基地局のカウントが、規定数を超えていないかを判断することを備える、請求項４に記載の方法。
【請求項９】
前記オフ周波数探索条件が満たされているかを判断することが、前記装置の候補及び非候補隣接セットが、少なくとも、前記アクティブセット周波数と異なるパイロット信号周波数を有する規定された数の基地局をまとめて含むか否かを判断することを備える、請求項４に記載の方法。
【請求項１０】
前記オフ周波数探索条件が満たされているかを判断することが、
前記アクティブセットの基地局のカウントが、規定数より小さいか否かと、
前記アクティブセットの基地局からのパイロット信号の最大信号対雑音比が、規定レベルよりも小さいか否かと、
前記装置の候補セットにあり、かつ前記アクティブセット周波数のパイロット信号を用いる基地局のカウントが、規定数を超えていないかどうかと、または、
前記装置の候補及び非候補隣接セットが、少なくとも、前記アクティブセット周波数と異なるパイロット信号周波数を有する規定された数の基地局をまとめて含むか否かとを判断することを備える、請求項４に記載の方法。
【請求項１１】
無線移動電話を管理するディジタルデータプロセッサによって実行可能な機械読み取り可能命令のプログラムを具体的に組込んだ信号保持媒体であって、
オフ周波数探索条件が満たされているか否かを判断することと、
少なくとも１つの規定されたアクティブセット周波数に対するオン周波数パイロット信号探索を含む、周波数探索プロセスを実行することと、
前記オフ周波数探索条件が満たされている場合に、少なくとも１つの隣接基地局周波数に対するオフ周波数パイロット信号探索を追加的に実行することとを備える、媒体。
【請求項１２】
オフ周波数パイロット信号探索は、全てのオン周波数パイロット信号探索が終了した後に実行され、請求項１１に記載の媒体。
【請求項１３】
オン周波数パイロット信号探索の動作は、いずれかのオフ周波数パイロット信号探索を開始する前に完了する、請求項１１に記載の媒体。
【請求項１４】
無線通信装置を管理するディジタルデータプロセッサによって実行可能な機械読み取り可能命令のプログラムを具体的に組込んだ信号保持媒体であって、
オフ周波数探索条件が満たされているか否かを判断することと、
パイロット信号探索を実行することと、
前記オフ周波数探索条件が満たされていない場合に、前記パイロット信号探索を、前記装置のアクティブセットの基地局によって利用される少なくとも１つのアクティブセット周波数に限定することとを備える、媒体。
【請求項１５】
前記オフ周波数探索条件が満たされている場合に、オフ周波数パイロット信号探索を、前記アクティブセット周波数とは異なる１つ以上の周波数に対して実施することにさらに適応されている、請求項１４に記載の媒体。
【請求項１６】
前記オフ周波数探索条件が満たされているかを判断することが、前記アクティブセットの基地局のカウントが、規定された数よりも小さいか否かを判断することを備える、請求項１４に記載の媒体。
【請求項１７】
前記オフ周波数探索条件が満たされているかを判断することが、前記アクティブセットの基地局からのパイロット信号の最大信号対雑音比が、規定レベルよりも小さいか否かを判断することを備える、請求項１４に記載の媒体。
【請求項１８】
前記オフ周波数探索条件が満たされているかを判断することが、前記装置の候補セットにあり、かつ前記アクティブセット周波数のパイロット信号を用いる基地局のカウントが、規定数を超えていないかを判断することを備える、請求項１４に記載の媒体。
【請求項１９】
前記オフ周波数探索条件が満たされているかを判断することが、前記装置の候補及び非候補隣接セットが、少なくとも、前記アクティブセット周波数と異なるパイロット信号周波数を有する規定された数の基地局をまとめて含むか否かを判断することを備える、請求項１４に記載の媒体。
【請求項２０】
前記オフ周波数探索条件が満たされているかを判断することが、
前記アクティブセットの基地局のカウントが、規定数より小さいことと、
前記アクティブセットの基地局からのパイロット信号の最大信号対雑音比が、規定レベルよりも小さいことと、
前記装置の候補セットにあり、かつ前記アクティブセット周波数のパイロット信号を用いる基地局のカウントが、規定数を超えていないことと、または、
前記装置の候補及び非候補隣接セットが、少なくとも、前記アクティブセット周波数と異なるパイロット信号周波数を有する規定された数の基地局をまとめて含むこととを備える、請求項１４に記載の媒体。
【請求項２１】
無線移動電話を管理する動作を実行するように構成された多数の相互接続された導電要素を含む回路であって、
所定のオフ周波数探索条件が満たされているか否かを判断することと、
少なくとも１つの規定されたアクティブセット周波数に対するオン周波数パイロット信号探索を含む周波数探索プロセスを実行することであって、前記オフ周波数探索条件が満たされている場合にのみ、少なくとも１つの隣接基地局周波数に対するオフ周波数パイロット信号探索を追加的に実行することとを備える、回路。
【請求項２２】
オフ周波数パイロット信号探索の動作が、全てのオン周波数パイロット信号探索が終了した後に実行される、請求項２１に記載の回路。
【請求項２３】
オフ周波数パイロット信号探索の動作が、いずれかのオン周波数パイロット信号探索が開始される前に完了する、請求項２１に記載の回路。
【請求項２４】
無線通信装置を作動させる動作を実行するように構成された多数の相互接続された導電要素を含む回路であって、前記動作は、
所定のオフ周波数探索条件が満たされているか否かを判断することと、
パイロット信号探索を実行することであって、前記オフ周波数探索条件が満たされていない限り、前記パイロット信号探索を、前記装置のアクティブセットの基地局によって利用される少なくとも１つのアクティブセット周波数に限定することとを備える、回路。
【請求項２５】
前記動作は、
前記オフ周波数探索条件が満たされている場合にのみ、前記アクティブセット周波数とは異なる１つ以上の周波数に対してオフ周波数パイロット信号探索を実施することをさらに備える、請求項２４に記載の回路。
【請求項２６】
前記所定のオフ周波数探索条件が満たされているか否かを判断する動作が、以下のこと、すなわち、前記アクティブセットの基地局のカウントが規定数よりも小さいことを含む基準が満たされているか否かを判断することを備える、請求項２４に記載の回路。
【請求項２７】
前記所定のオフ周波数探索条件が満たされているか否かを判断する動作が、以下のこと、すなわち、前記アクティブセットの基地局からのパイロット信号の最大信号対雑音比が規定レベルよりも小さいことを含む基準が満たされているか否かを判断することを備える、請求項２４に記載の回路。
【請求項２８】
前記所定のオフ周波数探索条件が満たされているか否かを判断する動作が、以下のこと、すなわち、前記装置の候補セットにあり、かつ前記アクティブセット周波数のパイロット信号を用いる基地局のカウントが、規定数を超えていないかを含む基準が満たされているか否かを判断することを備える、請求項２４に記載の回路。
【請求項２９】
前記所定のオフ周波数探索条件が満たされているか否かを判断する動作が、以下のこと、すなわち、前記装置の候補及び非候補隣接セットが、少なくとも、前記アクティブセット周波数と異なるパイロット信号周波数を有する規定された数の基地局をまとめて含むことを含む基準が満たされているか否かを判断することを備える、請求項２４に記載の回路。
【請求項３０】
前記所定のオフ周波数探索条件が満たされているか否かを判断する動作が、以下の全てのこと、すなわち、
前記アクティブセットの基地局のカウントが規定数よりも小さいことと、
前記アクティブセットの基地局からのパイロット信号の最大信号対雑音比が規定レベルよりも小さいことと、
前記装置の候補セットにあり、かつ前記アクティブセット周波数のパイロット信号を用いる基地局のカウントが、規定数を超えていないことと、
前記装置の候補及び非候補隣接セットが、少なくとも、前記アクティブセット周波数と異なるパイロット信号周波数を有する規定された数の基地局をまとめて含むこととを含む基準が満たされているか否かを判断することを備える、請求項２４に記載の回路。
【請求項３１】
トランシーバと、
スピーカと、
マイクロフォンと、
ユーザインタフェースと、
前記トランシーバ、スピーカ、マイクロフォン及びディスプレイと結合されたマネージャであって、かつ、
オフ周波数探索条件が満たされているか否かを判断し、
少なくとも１つの規定されたアクティブセット周波数に対するオン周波数パイロット信号探索を含む周波数探索プロセスを実行し、および、
前記オフ周波数探索条件が満たされている場合にのみ、少なくとも１つの隣接基地局周波数に対するオフ周波数パイロット信号探索を追加的に実行するためにプログラムされたマネージャとを備える、無線移動電話。
【請求項３２】
トランシーバと、
スピーカと、
マイクロフォンと、
ユーザインタフェースと、
前記トランシーバ、スピーカ、マイクロフォン及びディスプレイと結合されたマネージャであって、
オフ周波数探索条件が満たされているか否かを判断する手段と、
パイロット信号探索を実行する手段と、
前記オフ周波数探索条件が満たされていない場合に、前記パイロット信号探索を、無線通信装置のアクティブセットの基地局によって利用される少なくとも１つのアクティブセット周波数に限定する手段とを備えるマネージャとを備える、無線通信装置。
【請求項３３】
信号を無線送受信するトランシーバ手段と、
オーディオ出力を再生するスピーカ手段と、
マイクロフォンのためのマイクロフォン手段と、
ユーザ入力を受け、かつ人間による読み取りが可能な出力を生成するユーザインタフェース手段と、
前記トランシーバ手段、スピーカ手段、マイクロフォン手段及びユーザインタフェース手段と結合されたマネージャ手段であって、
オフ周波数探索条件が満たされているか否かを判断する手段と、
少なくとも１つの規定されたアクティブセット周波数に対するオン周波数パイロット信号探索を含む周波数探索プロセスを実行する手段と、
前記オフ周波数探索条件が満たされている場合に、少なくとも１つの隣接基地局周波数に対するオフ周波数パイロット信号探索を実行する手段とを備えるマネージャとを備える、無線移動電話。
【請求項３４】
信号を無線送受信するトランシーバ手段と、
オーディオ出力を再生するスピーカ手段と、
マイクロフォンのためのマイクロフォン手段と、
ユーザ入力を受け、かつ人間による読み取りが可能な出力を生成するユーザインタフェース手段と、
前記トランシーバ手段、スピーカ手段、マイクロフォン手段及びユーザインタフェース手段と結合されたマネージャ手段であって、
所定のオフ周波数探索条件が満たされているか否かを判断することと、
パイロット信号探索を実行することであって、前記オフ周波数探索条件が満たされていない限り、前記パイロット信号探索を、無線通信装置のアクティブセットの基地局によって利用される少なくとも１つのアクティブセット周波数に限定することとを備える動作を実行する、マネージャ手段とを備える、無線通信装置。
【発明の詳細な説明】
【技術分野】
【０００１】
本発明は、一般に、カバレージエリア間の移動にもかかわらず、中心基地との通信を保つために、無線移動局により実行される動作に関する。より具体的には、本発明は、無線加入者局及びこれの動作のための方法に関し、前記移動局は、「オフ周波数探索（ｏｆｆ−ｆｒｅｑｕｅｎｃｙ  ｓｅａｒｃｈｅｓ）」、すなわち、前記加入者局のアクティブセットのパイロット信号とは周波数が異なる基地局パイロット信号の探索のタイミング及び選択的パフォーマンスを管理する。
【背景技術】
【０００２】
移動電話の設計者は、様々な異なる工学技術上の難問に直面する。最も複雑な問題のうちの１つは、電話のトランシーバ、スピーカ、マイクロフォン、ディスプレイ及び他の全ての搭載電子機器を駆動するために、バッテリ電力を使用する必要性である。バッテリは、前記電話が作動しなくなるときである消耗時まで、限定量の電力を供給することができるだけである。当然、ほとんどの移動電話のバッテリは再充電可能であるが、これは、電源へのアクセスを要する。
【０００３】
そのため、移動電話は、種々の低電力モードで作動する能力をもって設計されてきた。なんらかの出電または入電がない場合、移動電話は、「アイドル」状態にある。時には、一部の型式の電話は、「スリープ」モードに入り、この場合、前記電話は、これのトランシーバ、中央プロセッサ及び他の特定のハードウェア等の様々な回路を選択的に不能状態にする。このとき、前記電話は、ほとんど電流を消費しない。前記電話は、ネットワークにより指示される定期的な間隔で、一時的に活動状態に戻り、主に、基地局からページング信号を受信して、前記電話に入電を知らせ、かつ近くの基地局のパイロット信号の探索等の他の理由で警告する。前記移動電話が、一定期間、どの基地局とも通信を実現できない場合、前記電話は、前記電話がユーザ入力を待ち、かつよりいっそうの電力低下を待つ間、「ディープスリープ」モードに入る。
【０００４】
無線通信システムの設計者は、移動電話の電力消費のさらなる低減を実現しようとしている。可能性のある焦点の１つの分野は、定期的なウェークアップであり、より具体的には、近くの基地局の探索に関する。
【０００５】
この探索の間に消費される電力は、任意の近くの基地局が、異なる周波数（「オフ周波数（ｏｆｆ−ｆｒｅｑｕｅｎｃｙ）」のパイロット信号を用いている場合、（前記移動局の「アクティブセット（ａｃｔｉｖｅ  ｓｅｔ）」と呼ばれる）前記移動局が現在モニタリングしている基地局よりもかなり大きい。この場合、前記移動局が、これのトランシーバを各オフ周波数に対して調節する必要性により、余分な電力が消費される。理論的には、前記移動局は、この探索を、オン周波数の基地局パイロット信号に限定して、任意のオフ周波数の基地局の探索を単純に省略するようにプログラムすることができる。しかし、このことは、前記移動局を、オフ周波数の基地局のエリアへ知らず知らずのうちに移動させ、新たなオフ周波数基地局と通信を確立することなく、初期のオン周波数基地局からのカバレージを完全に失うようにさらに続行することにより、カバレージを失うという危険性にさらす。そのため、前記移動局は、時間及び電力消費性の再初期設定プロセスを実行することなく、呼び出しを開始または受信することができない。従って、進歩は、依然として、定期的なウェークアップの範囲、特に、オフ周波数基地局の探索において行われる。
【発明の開示】
【発明が解決しようとする課題】
【０００６】
【課題を解決するための手段】
【０００７】
無線移動電話は、「オフ周波数探索」、すなわち、移動局のアクティブセットにおけるパイロット信号とは周波数が異なる基地局パイロット信号の探索の実行を管理するように作動する。（例えば、低減電力スリープモードから出ることに対応するなど）パイロット信号探索が実行されるたびに、前記移動局は、指定されたアクティブセット周波数に対して、オン周波数パイロット信号探索を実行する。指定されたオフ周波数探索条件が満たされる場合にのみ、前記移動局は、１つ以上の隣接する基地局の周波数に対して、オフ周波数パイロット信号探索を追加的に実行する。
【０００８】
本発明の本質、目的及び効果は、添付図面と共に以下の詳細な説明を考究した後に、当業者にはよりはっきりと理解できるであろう。
【発明を実施するための最良の形態】
【０００９】
（ハードウェアコンポーネント及び相互接続）
（イントロダクション）
本開示は、いくつかあるコンポーネントの中で特に、様々な基地局及び移動局と共に、無線通信ネットワークを用いる。前記移動局は、カバレージエリア間の移動にもかかわらず、前記ネットワークとの通信を保つように（前記基地局と協働して）プログラムされる。１つの関連するアクティビティは、パイロット信号探索のパフォーマンス、すなわち、可能な使用のためにそれらの基地局を評価するための基地局パイロット信号の受信である。加えて、前記移動局は、「オフ周波数探索」、すなわち、加入者局のアクティブセットにおけるパイロット信号とは周波数が異なる基地局パイロット信号の探索のタイミング及び選択的パフォーマンスを管理することにより、バッテリ電力を節約して使う。
【００１０】
このシステムの全体の設計及び動作、およびこれの様々な構成要素に関するさらなる詳細を以下に記載する。
【００１１】
（無線通信システム）
図１は、例示的な無線通信ネットワーク１００の高度に単純化したモデルを示す。一実施形態において、ネットワーク１００は、米国電気通信工業会（ＴＩＡ）ＩＳ−８５６型ネットワーク等のハイレートパケットデータまたはハイデータレート（ＨＤＲ）無線ネットワークとして実施することができる。このタイプのネットワークは、例えば、電子メールを受信し、ネットサーフィンし、他のディジタルデータを交換する移動局にとって有用である。別法として、あるいは加えて、ネットワーク１００は、ＴＩＡ規格ＩＳ−９５に従って、無線セルラー電話システムとして実施することができる。ＩＳ−９５規格は、従来の無線通信技術よりも大きな容量及びより強力なパフォーマンスで音声呼を無線伝送する、符号分割多元接続（ＣＤＭＡ）変調技術を用いる。
【００１２】
ネットワーク１００は、様々な移動局１１４を含み、前記移動局は、ＣＤＭＡ互換無線電話および／またはＨＤＲ加入者局（「アクセス端末」とも呼ばれる）を備える。移動局１１４は、様々な基地局１１０によって機能し、前記基地局は、移動局１１４と、音声および／またはパケットデータ内容を交換する。無線音声電話コンテキストにおいて、電話呼及び他の音声通信は、１１２ａ等の無線周波（ＲＦ）電磁信号チャネルを介して、移動局１１４と基地局１１０との間でデータを交換することにより実施される。基地局は、呼出しページングメッセージ、発信メッセージ、登録メッセージ、パイロット信号レポート及び他のディジタルデータ等の他の種類の情報を、移動局１１４と交換してもよい。ＨＤＲコンテキストにおいて、ＨＤＲ通信は、インターネット１０１または、企業ネットワーク等の他のパケットデータネットワーク（図示せず）への中継のために、移動局１１４と基地局１１０との間でインターネットプロトコル（ＩＰ）パケットデータを交換することにより実施される。パケットデータの実例は、ウェブページにアクセスしたり、電子メールを検索したりするときのアプリケーションに使用されるＩＰデータグラムを含む。このようなパケットデータアプリケーションは、移動局１１４上で直接動作し、あるいは、移動局１１４を無線モデムとして使用する独立したコンピュータ装置上で動作してもよい。ＨＤＲコンテキストにおいて、ＩＰパケットデータは、１１２ｂ等のＲＦ電磁信号チャネルを介して、移動局１１４と基地局１１０との間で伝送される。
【００１３】
基地局１１０の一部または全ては、現在の商業用途における従来の基地局によって使用されるようなハードウェアを用いて実施することができる。各基地局１１０は、基地局制御装置（ＢＳＣ）１０６に結合されており、前記基地局制御装置の各々は、基地局１１０と（以下に記載する）様々なネットワーク設備１０４との間の二方向の情報フローを実施する。ＢＳＣ１０６は、基地局間での移動局１１４のハンドオフを調整することを含む、移動通信を行えるようにする種々の機能を実行する。ＨＤＲネットワークが可能なＩＳ−８５６等のシステムにおいてデータ交換を実施するのに用いる場合、前記ＢＳＣは、ＩＰデータパケットを基地局１１０と交換するパケット制御機能（ＰＣＦ）モジュールを含んでもよい。各ＢＳＣ１０６は、例えば、現在の商業用途における従来の無線ネットワークによって使用されるようなハードウェアを用いて実施することができる。
【００１４】
上述したように、ＢＳＣ１６０は、基地局１１０とネットワーク設備１０４の間で情報を伝送する。音声呼及び他のＩＳ−９５データを処理する場合の用途のために、ネットワーク設備１０４は、移動交換局（ＭＳＣ）、移動電話交換局（ＭＴＳＯ）等のコンポーネントを含んでもよい。ＭＳＣコンポーネントは、例えば、音声ストリーム情報を、ＢＳＣ１０６と公衆交換電話網（ＰＳＴＮ）１０５の間で中継する。また、ＭＳＣは、移動性制御、呼処理及び呼のルーティング機能性を実行できるように作動する。実施例として、ネットワーク設備１０４をＰＳＴＮ１０５に接続するために、データサービス網間接続機能（ＩＷＦ）を用いることができる。
【００１５】
（ＩＳ−８５６型システム等の）ＨＤＲ情報を処理する場合の用途のために、ネットワーク設備１０４は、１つ以上の外国のエージェント等のコンポーネントを含んでもよい。このコンテキストにおいて、ネットワーク設備１０４は、無線または有線Ｔ１、Ｔ３リンク、光ファイバ接続、イーサネット（登録商標）または他のインターネットプロトコル（ＩＰ）接続等の１つ以上のリンク１０３を介して、ＢＳＣ１０６と１つ以上のホームエージェント１０２の間でＩＰデータを交換する。ホームエージェント１０２もインターネット１０１に結合されている。
【００１６】
（例示的なディジタルデータ処理装置）
コンポーネント１０２、１０４、１０６、１１０、１１４（図１）等のデータ処理エンティティ、または、それらのサブコンポーネントのうちのいずれか１つ以上は、様々な形態で実施することができる。一実施例は、図２のディジタルデータ処理装置２００のハードウェアコンポーネント及び相互接続によって例示されるようなディジタルデータ処理装置である。
【００１７】
装置２００は、記憶装置２０４に結合されたマイクロプロセッサ、パーソナルコンピュータ、ワークステーション、コントローラ、マイクロコントローラ、状態機械、または他の処理機械等のプロセッサ２０２を含む。本実施例において、記憶装置２０４は、高速アクセス記憶装置２０６及び不揮発性記憶装置２０８を含む。高速アクセス記憶装置２０６は、ランダムアクセスメモリ（「ＲＡＭ」）を備えてもよく、また、プロセッサ２０２によって実行されるプログラミング命令を格納するのに使用してもよい。不揮発性記憶装置２０８は、例えば、バッテリバックアップＲＡＭ、電気的消去可能プログラマブル読み取り専用メモリ（ＥＥＰＲＯＭ）、フラッシュプログラマブル読み取り専用メモリ（ＰＲＯＭ）、「ハードドライブ」等の１つ以上の磁気データ記憶ディスク、テープドライブ、またはあらゆる他の適当なデータ記憶装置を備えてもよい。また、装置２００は、ライン、バス、ケーブル、電磁リンク、または、装置２００の外部の他のハードウェアとデータを交換する、プロセッサ２０２のための他の手段等の入力／出力２１０も含む。
【００１８】
上述の明確な説明にもかかわらず、（この開示の利益を有する）当業者は、上述した装置を、本発明の範囲を逸脱することなく、異なる構造の機械で実施することができることを理解するであろう。特定の実施例として、コンポーネント２０６、２０８の一方を削除してもよく、さらに、記憶装置２０４、２０６および／または２０８は、搭載プロセッサ２０２に設けてもよく、あるいは、装置２００の外部に設けてもよい。
【００１９】
（論理回路）
上述したディジタルデータ処理装置とは対照的に、本発明の一実施形態は、上述したような様々な処理エンティティを実施するために、コンピュータ実行命令の代わりに、論理回路を用いる。速度、費用、据付け費等の分野において、アプリケーションの特定の要求により、この論理は、何千もの小さな集積トランジスタを有する特定用途向け集積回路（ＡＳＩＣ）を構成することによって実施することができる。このようなＡＳＩＣは、ＣＭＯＳ、ＴＴＬ、ＶＬＳＩ、または他の適当な構成を用いて実施することができる。他の代替例は、ディジタル信号処理（ＤＳＰ）チップ、（抵抗器、コンデンサ、ダイオード、インダクタ及びトランジスタ等の）個別回路素子、フィールドプログラマブルゲートアレイ（ＦＰＧＡ）、プログラマブルロジックアレイ（ＰＬＡ）、プログラマブルロジックデバイス（ＰＬＤ）等を含む。
【００２０】
（無線電話）
図４は、無線電話４００としての移動局の一実施例の構成をさらに示す。電話４００は、スピーカ４０８と、ユーザインタフェース４１０と、マイクロフォン４１４と、トランシーバ４０４と、アンテナ４０６と、マネージャ４０２と、用途により変化してもよいあらゆる他の従来の回路とを含む。図２と共に上で論じたような回路を備えてもよいマネージャ４０２は、コンポーネント４０４、４０８、４１０及び４１４の動作、およびそれらのコンポーネント間の信号ルーティングを管理するように機能する。
【００２１】
無線電話４００を図示したが、移動局は、移動または静止していてもよい。さらに、移動局は、無線チャネルを介して、または、例えば、光ファイバまたは同軸ケーブルを使用した有線チャネルを介して通信する、どのようなデータ装置を備えてもよい。無線及び有線電話に加えて（または、これの代わりに）、ＰＣカード、コンパクトフラッシュ（登録商標）、外部または内部モデム等を含む様々な他のデバイスを実装するように、移動局を構成してもよいがこれに限定されない。
【００２２】
（動作）
様々な構造上の特徴を説明してきたが、本開示のいくつかの動作態様を次に説明する。上述したように、本開示の１つの動作態様は、オフ周波数探索のタイミング及び選択的パフォーマンスを管理することにより、バッテリ電力を節約して使う移動局を含む。
【００２３】
（信号保持媒体）
本開示のいずれかの機能性が、１つ以上の機械実行プログラムシーケンスを用いて実施される場合、このようなシーケンスは、様々な形態の信号保持媒体に組み込むことができる。図２のコンテキストにおいて、このような信号保持媒体は、例えば、記憶装置２０４、または、プロセッサ２０２によって直接または間接的にアクセス可能な、磁気データ記憶ディスケット３００（図３）等の他の信号保持媒体を備えてもよい。記憶装置２０６、ディスケット３００あるいは他のものに含まれていようとなかろうと、命令は、様々な機械読み取り可能なデータ記憶媒体に格納することができる。いくつかの実施例は、直接アクセス記憶装置（例えば、従来の「ハードドライブ」、「ＲＡＩＤ（ｒｅｄｕｎｄａｎｔ  ａｒｒａｙ  ｏｆ  ｉｎｅｘｐｅｎｓｉｖｅ  ｄｉｓｋ）」、または他の直接アクセス記憶装置（「ＤＡＳＤ」）、磁気または光テープ等の順次アクセス記憶装置、電子不揮発性記憶装置（例えば、ＲＯＭ、ＥＰＲＯＭ、フラッシュＰＲＯＭまたはＥＥＰＲＯＭ）、バッテリバックアップＲＡＭ、光記憶装置（例えば、ＣＤ−ＲＯＭ、ＷＯＲＭ、ＤＶＤ、ディジタル光テープ）、紙「せん孔」カード、あるいは、アナログまたはディジタル伝送媒体及びアナログ及び通信リンク及び無線通信を含む、他の適当な信号保持媒体を含む。本発明の図示の実施形態において、前記機械で読み取り可能な命令は、アセンブリ言語、Ｃ等の言語から作成されるソフトウェアオブジェクトコードを備えてもよい。
【００２４】
（論理回路）
上述した信号保持媒体と対照的に、本開示の機能性の一部または全ては、命令を実行するプロセッサを用いる代わりに、論理回路を用いて実施することができる。そのため、このような論理回路は、本発明の方法態様を実施する動作を実行するように構成される。前記論理回路は、上述したように、多くの異なる種類の回路を用いて実施することができる。
【００２５】
（動作説明のイントロダクション）
上述したように、本開示の１つの動作態様は、オフ周波数探索のタイミング及び選択的パフォーマンスを管理することにより、バッテリ電力を節約して使う移動局を含む。
【００２６】
（移動局−呼モデル）
各移動局１１４は、図５の状態図５００に従って動作する。ＩＤＬＥ状態５６２において、前記移動局は、ウェークアップサイクルとスリープサイクルを交互に行う。前記ウェークアップサイクルにおいて、前記移動局は、共用ページングチャネル及び共用オーバヘッドチャネルをモニタリングすることを含む様々な機能を実行する。それらのチャネルは、多数の基地局が、それらのチャネルでページング及びオーバヘッド情報を、範囲内の全ての移動局に対して同時通信するという意味で共用される。簡単に言えば、前記共用ページングチャネルは、入電の移動局を知らせ、前記共用オーバヘッドチャネルは、様々なシステム関連情報を供給する。ＩＤＬＥモード５６２において、前記移動局は、以下にさらに詳細に説明する、これの「アクティブセット」における１つ以上の基地局からのメッセージを監視する。ＩＤＬＥ状態５６２において、前記移動局の送信機は、電源が切られている。
【００２７】
ＩＤＬＥにおいて、上記移動局は、これのトランシーバ、中央プロセッサ及び他の特定のハードウェア等の種々の回路を選択的に不能状態にする。この時点では、前記移動局は、電流をほとんど消費しない。ＩＤＬＥモード５６２に入る前に、ネットワークによって指示される定期的な間隔で、およびまだＩＤＬＥモード５６２である間、前記移動局は、一時的に活動状態になって、このような基地局からのページング信号を受信して、前記電話に入電を知らせ、出来るだけ近い基地局のパイロット信号を探索し、および他の目的で探索する。実施例として、定期的なウェークアップ間隔は、５秒間としてもよい。
【００２８】
１つの事例において、上記移動局は、前記移動局が、１つ以上の所定のメッセージをネットワーク１００へ送る必要性を感じた場合には、ＩＤＬＥ５６２を出て、移行５６３に沿ってＡＣＣＥＳＳ５６４へ行ってもよい。前記移動局は、１つの基地局（前記移動局の主たる基地局）に送信する。実施例として、ＡＣＣＥＳＳ状態５６４において、前記移動局は、登録メッセージを送信し、前記主たる基地局に前記移動局の存在を知らせてもよく、この場合、ＡＣＣＥＳＳ状態５６４は、前記登録メッセージを送信した後に、５６１を介してＩＤＬＥ５６２に戻る。別の事例においては、前記移動局は、これの定期的なスリープから覚醒の間に、ネットワークが前記移動局をページングして入電を接続すると判断するたびに、ＡＣＣＥＳＳ５６４に入る。この場合、前記移動局が、共通の「アクセス」チャネルで前記ページに返答した後、前記移動局は、それを介して二地点間呼を実施する情報チャネルの割当を受信する。別の状況において、ＩＤＬＥ５６２からＡＣＣＥＳＳ５６４への移行５６３は、オペレータが、前記移動局を使用して、二地点間呼を開始したときに発生する。前記移動局は、上記主たる基地局のアクセスチャネルで適当なメッセージを送信した後、同様の方法でチャネル割当を受信することにより、出電を開始する。
【００２９】
ＡＣＣＥＳＳ５６４からＴＲＡＦＦＩＣ５６６への移行５６５は、入電または出電が実現し、前記移動局及び主たる基地局が、前記情報チャネルで通信するときに発生する。ＴＲＡＦＦＩＣ状態５６６において、前記移動局は、個々の情報チャネルを用いて、他の相手方との二地点間通信を実施する。この新たに開始された二地点間呼は、必要に応じて、音声および／またはＨＤＲデータまたは他の情報を伝送してもよい。
【００３０】
ＴＲＡＦＦＩＣ５６６からＩＤＬＥ５６２へ戻る移行５６７は、前記二地点間呼が、いずれかの相手方によって終了したとき、あるいは、前記接続が別の理由で切断された場合に発生する。移行５６７は、前記二地点間呼を実施するのに用いられる情報チャネルの解放を含む。
【００３１】
他の状況下において、上記移動局は、前記移動局がカバレージを有していない、すなわち前記移動局が、一定期間どの基地局とも通信を実現することができないときには、ＩＤＬＥ５６２からＤＥＥＰ  ＳＬＥＥＰ５６９へ移行５７２する。この状態５６９において、前記移動局はユーザ入力を待ち、その間、これのスリープ時間を延長する。ＤＥＥＰ  ＳＬＥＥＰ５６９において、電話は、（ＩＤＬＥと同様に）それほど頻繁ではないが、覚醒してもよく、または、別法として、覚醒を完全にやめてもよい。ＤＥＥＰ  ＳＬＥＥＰ５６９において、前記電話は、電力をさらに節約して使うために、（ＩＤＬＥモードと比較して）より多くの回路要素に対して、必要に応じて電源供給を停止してもよい。移行５７６を介してＤＥＥＰ  ＳＬＥＥＰ５６９からＩＤＬＥ５６２へ移ることは、例えば、前記移動局のユーザインタフェースを介して入ってくるオペレータの命令に応じて実現してもよい。例えば、前記オペレータは、所定のキーを押してＤＥＥＰ  ＳＬＥＥＰ５６９を出て、移行５７６を介してＩＤＬＥ５６２へ戻ってもよい。
【００３２】
（アクティブセット、候補セット、非候補隣接セット）
図６は、アクティブセット、候補セット及び非候補隣接セットを説明するのを助けるための、いくつかの近くの基地局６５０から６５３に関連する移動局６０２を示す。基地局６５０から６５３は、それぞれの伝送範囲６６０から６６３を有する。図に示すように、移動局６０２は、基地局６５０から６５２の伝送範囲内に位置しており、そのため、それらの基地局の各々から信号を受信することができる。移動局６０２は、基地局６５３の伝送範囲の外側にある。
【００３３】
図７について追加的に説明すると、移動局６０２は、アクティブセット７０２、候補セット７０４及び非候補隣接セット７０６をいつでも定義する。アクティブセット７０２は、少なくとも１つの基地局を含む。候補及び非候補隣接セット７０４、７０６は、ネットワークによって判断される「隣接する」の基準を用いた、前記移動局に対する隣接する基地局を備える。単純な意味において、隣接する基地局は、前記移動局近くにある。より具体的には、隣接セット７０５の範囲は、ネットワーク設備１０４によって決まり、前記設備は、移動局６０２が、これらの基地局のパイロット信号を受信することができるか否かにかかわらず、（規定された基準に従って）どの基地局が物理的に近いかを判断するために、基地局配置及び他のマッピング情報を調べる。セット７０４、７０６の各々は、ゼロ以上の具体的に特定される基地局を含む。候補セット７０４のメンバーは、非候補隣接セット７０６と比較して、より強力に前記移動局と通信するこれら基地局である。アクティブセット、候補セット及び非候補隣接セットの帰属関係は、ネットワーク１００内の各基地局によって同時通信されるパイロット信号を含む情報によって決まる。
【００３４】
移動局６０２のアクティブセット７０２は、移動局６０２によって検知されるような最も強力なパイロット信号を伴う基地局を含む。図示の実施例において、前記アクティブセットは、基地局６５０を含む。アクティブセット７０２の全ての基地局は、必然的に同じ周波数パイロット信号を利用する。１つの基地局が他の基地局に干渉することを防止するために、符号分割多重化が用いられる。前記移動局は、前記アクティブセットの１つ以上のメンバーからの（ページング信号等の）オーバヘッド信号を監視する。上記主たる基地局は、アクティブセット７０２のうちの１つである。前記移動局は、（登録メッセージ、発信メッセージ、ＨＤＲ伝送等の）これの出力ネットワーク伝送を前記主たる基地局へ向ける。対照的に、ＩＳ−９５／ＩＳ−２０００アーキテクチャの下では、前記移動局は、音声トラヒックを多数の基地局へ向ける。
【００３５】
移動局６０２は、測定したパイロット信号が所定の強度を超えるが、アクティブセットの場合の最少強度に達しないか、あるいは、前記アクティブセットのメンバーと同じパイロット信号周波数を利用しない場合には、候補セット７０４内の隣接セット７０５の隣接する基地局を配置する。図６の実施例において、候補セット７０４は、基地局６５１から６５２を含む。非候補隣接セット７０６の範囲は、候補セット７０４の帰属関係に適しない隣接セット７０５の基地局を含む。非候補隣接セット７０６の実施例は、基地局６５３である。
【００３６】
要約すると、非候補隣接セット７０６の特に強力な基地局は、（所定の移動局によって検知された場合）前記候補セットに入り、さらに、前記移動局は、前記候補セットの最強の基地局を前記アクティブセットに昇格させる。
【００３７】
移動局６０２は、「オン周波数」及び「オフ周波数」探索プロセス中のアクティブセット及び候補セットの帰属関係を決める。音声呼の間、前記オフ周波数探索プロセスは、正確に選択されたアクティブセットを維持し、かつ前記呼を終了することを避けるために、必然的にかなり頻繁に実施される。前記オフ周波数探索は、必然的に、前記音声呼を一時的にではあるが中断する。ＨＤＲ接続に関する限り、前記移動局は、オフ周波数探索を、ＩＤＬＥモード５６２からの定期的な覚醒に限定する。そのため、前記移動局は、ＨＤＲ接続の間、オフ周波数探索を実行しない。したがって、ＨＤＲ呼を終了するリスクはより大きいが、終了したＨＤＲ呼をより目立たなくする避けられないサーバ、ネットワーキング及びインターネットダウンローディングの遅延のため、重要性はより小さい。
【００３８】
「オン周波数」探索は、アクティブセットの基地局のパイロット信号と同じ周波数で実施されるパイロット信号探索を備える。これとは異なる周波数で実施されるパイロット信号探索は、「オフ周波数」と呼ばれる。
【００３９】
オン周波数及びオフ周波数探索の後、上記移動局は、セット７０２、７０４、７０６の中の所定の基地局を昇格または降格してもよい。基地局は、移動局の周波数探索により、前記基地局のパイロット信号が、規定されたエネルギー（ＡＳｄｒｏｐ）以下に低下したことが明らかになった場合、アクティブセット７０２から降格される７１０。降格７１０は、前記移動局がＴＲＡＦＦＩＣ状態に入る場合、上記主たる基地局の許可を求めてもよい。基地局は、前記移動局が、この基地局のパイロット信号のエネルギーが所定のエネルギー（ＡＳａｄｄ）を超えたことを知った場合、前記移動局の候補セット７０４からこれのアクティブセット７０２へ昇格される７０８。昇格７０８は、前記移動局がＴＲＡＦＦＩＣ状態に入る場合、前記主たる基地局の許可を求めてもよい。同様に、基地局は、前記移動局が、この基地局のパイロット信号のエネルギーが規定のしきい値エネルギー（ＣＳｄｒｏｐ）以下に低下したことを知った場合、移動局の候補セット７０４から非候補隣接セット７０６に降格される７１２。基地局は、前記移動局が、この基地局のパイロット信号のエネルギーが所定のしきい値（ＣＳａｄｄ）を超えたことを知ると、前記移動局の非候補隣接セット７０６からこれの候補セット７０４へ昇格される７１４。
【００４０】
昇格及び降格は、所定の期間、しきい値を超えたときにさらに調整してもよい。前記しきい値は、すでに前記セットにあるパイロットの数、または前記セットのパイロットの平均または最少エネルギー等の要素により変化させてもよい。
【００４１】
（動作の詳細）
図９は、移動局の１つの例示的なＨＤＲウェークアップシーケンス９００を示す。類推により、ＩＳ−９５または他の種類の音声通信の場合のＩＤＬＥモード周波数探索を調整するために、同様の原理を用いることができる。意図された制限が全くない場合、シーケンス９００は、上述した図面のハードウェアコンポーネント及び相互接続の状況において考察する。シーケンス９００は、ステップ９０１で始まる。一実施例として、これは、上記移動局が、ＩＤＬＥモード中にウェークアッププロセスを開始したときに発生する。一実施例として、これは、前記移動局の主たる基地局によって指定されたスケジュール上で定期的に発生してもよい。また、ＩＳ−９５または他の音声通信の間、シーケンス９００全体は、呼の完全性を維持し、かつハンドオフを補助する継続中のトラヒック呼の間に実行してもよい。説明を容易にするため、以下の実施例は、ＨＤＲ通信に関連して説明し、この場合、これらのステップ９００は、ＩＤＬＥモードの間、特にウェークアップサイクルの間にのみ実行される。
【００４２】
ステップ９０１において、上記移動局が起動されて、ウェークアッププロセス９００を開始する。この起動は、ハードウェアの中断、タイマーの満了、あるいは他のこのようなイベントによって発生してもよい。ステップ９０１の後、前記移動局は、ステップ９０２において、オン周波数探索を実行する。ここで、パイロット信号探索は、前記移動局のアクティブセットの基地局によって利用されるアクティブセット周波数に限定される。
【００４３】
次に、ステップ９０３からステップ９０８は、あらかじめ設定されたオフ周波数探索条件が満たされているか否かを判断する。オフ周波数パイロット探索は、上記移動局が、完全なシステム損失及び再獲得処理手順を実現することなく、異なる周波数でより強力なセルへ動的にハンドオフすることを可能にするため、有用である。しかしながら、前記移動局は、オフ周波数セルへ移動せずに、単に近くにとどまる可能性があり、このことは、オフ周波数探索を一部の条件で不必要にする。前記移動局の待機時間は、オフ周波数ハンドオフを要求するチャンスが低いときに、オフ周波数探索を避けることにより最大化することができる。以下に示すように、現在の周波数に対するパイロット環境を含む条件は、前記移動局がオフ周波数パイロットへのハンドオフを必要とするか否かを示すのに用いることができる。
【００４４】
上述したように、オフ周波数探索条件は、ステップ９０３からステップ９０８において評価される。ステップ９０３からステップ９０８が、前記オフ周波数探索条件が満たされていることを知ると、オフ周波数探索がステップ９１２において実施される。そうでない場合、オフ周波数探索は、不必要であると考えられる９１３。より具体的には、ステップ９０３において、前記移動局は、アクティブセット７０２の基地局のカウントが、規定された数（Ｎａ）、例えば、「１」を超えたか否かを尋ねる。十分な数のアクティブセットの基地局がある場合、オフ周波数探索は、過疎のアクティブセットほど重要ではない。そのため、ステップ９０３が「イエス」と答えた場合、オフ周波数探索は不必要である（９１３）。
【００４５】
たとえ、ステップ９０３が、オフ周波数探索が保証されていることを知っても、前記オフ周波数探索は、アクティブセットの基地局からの少なくとも１つの十分に強力な信号がある場合には、避けることができる。そのため、ステップ９０４は、アクティブセットの基地局からのパイロット信号の最大信号対雑音比が、−５ｄＢ等の規定されたレベル（Ｔ１）を満たしているか否かを尋ねる。前記答えが、十分な高信号対雑音比を示す「イエス」の場合、オフ周波数探索は不必要である（９１３）。
【００４６】
たとえ、ステップ９０３及びステップ９０４が、オフ周波数探索が保証されていることを知っても、前記オフ周波数探索は、アクティブセット周波数を利用する十分な数の候補基地局がある場合、避けることができる。そのため、ステップ９０６は、前記アクティブセット周波数を利用する候補セットの基地局のカウントが、０等の規定されたしきい値（ＮＣ）を超えているか否かを尋ねる。前記答えが、十分な数のオン周波数候補セットメンバーを示す「イエス」の場合、オフ周波数探索は不必要である（９１３）。
【００４７】
たとえ、ステップ９０２、９０４、９０６が、オフ周波数探索が保証されていることを知っても、前記オフ周波数探索は、候補及び非候補隣接セットがオフ周波数メンバーを全く含まない場合、避けるべきである。そのため、ステップ９０８は、オフ周波数候補または非候補隣接があるか否かを尋ねる。前記答えが「ノー」である場合、オフ周波数探索は不必要である（９１３）。
【００４８】
オフ周波数探索が不必要であることが分かった場合（ステップ９１３）、オフ周波数探索の回避は、上記移動局が、これのトランシーバを任意のオフ周波数に再調整することを要求されないため、かなりの電力及び時間を節約する。ステップ９１３の後、前記移動局は、ステップ９１６において、これのスリープサイクルを再開する。
【００４９】
そうでない場合、動作９０３から動作９０８が、オフ周波数探索が必要であることを知ると、オフ周波数探索が、ステップ９１２において実施される。ステップ９１２において、上記移動局は、隣接する基地局の１つ以上のオフ周波数パイロット信号に対して周波数探索を実施する。どれくらいの数のオフ周波数及びどのオフ周波数を、オフ周波数探索プロセスの他の項目と共に探索するかという知識は、この開示の利益を有する当業者には明白であろう。ステップ９１２の後、前記移動局は、ステップ９１６においてスリープを再開して、シーケンス９００を終了する。
【００５０】
オフ周波数探索（９１２）の前に、オン周波数探索（９０２）を実行することの１つの利益は、それが、最も最近の探索結果がオフ周波数探索の判断９０３から９０８に用いられることを保証するということである。加えて、オフ周波数探索が、ウェークアップサイクルの終了時（または始め）に行われた場合、オフ周波数探索とオン周波数探索を散在させた場合よりも、電力が節約される。
【００５１】
このことを、図８と共により詳細に説明し、前記図は、ウェークアップサイクル８１０と介入（低減電力）スリープサイクル８０８を含むアイドルモード８００の動作を示す。ウェークアップサイクル８１０は、種々の初期設定機能８０２、オン周波数探索８０４及びオフ周波数探索８０６を含む。初期設定８０２の間、上記移動局は、ブートアップ、診断等のスタートアップ機能を実行する。オン周波数探索の間、前記移動局は、オーバヘッドページ及び他のネットワーク情報を受信するために、およびパイロット信号強度解析のために、これのトランシーバをアクティブセット周波数に調整する。オフ周波数探索８０６の間、前記移動局は、オフ周波数を利用して、１つ以上の近くの基地局のパイロット信号を探索する。
【００５２】
図８に示すような１つのオプションは、全てのオフ周波数探索を整理し、かつ全てのオン周波数探索が終了するまで、オフ周波数探索を遅らせる。それに伴って、オフ周波数探索が、スリープサイクル８０８を再開する前に、速やかに実行される。このことは、電力を節約し、かつウェークアップサイクルの時間を短縮する。そうではなく、単一周波数のオン周波数探索８０４の中に１つ以上のオフ周波数探索を散在させることにより、前記移動局は、必要以上にこれのトランシーバを再調整（「ＲＦチューニング」と呼ばれる）しなければならなくなり、それにより、電力及び時間をさらに節約する。（図示するように）ウェークアップサイクルの終了時におけるオフ周波数チューニングを整理することにより、前記移動局のトランシーバは、時間／電力を消費するＲＦチューニングをうけて、さらなるオン周波数探索のためにアクティブセット周波数に戻るのではなく、スリープ８０８をやめることができる。ウェークアップ初期設定８０２の後に、ウェークアップサイクル８１０の始めにおけるパフォーマンスのためのオフ周波数チューニングを整理することにより、同じ利益を実現することができる。換言すれば、８０４、８０６の順番は、変えてもよい。
【００５３】
（その他の実施形態）
当業者は、情報及び信号を、様々な異なる技術的方法及び手段のうちのいずれかを用いて表わすことができることを理解している。例えば、上記の説明を通して参照することができるデータ、命令、コマンド、情報、信号、ビット、シンボル及びチップは、電圧、電流、電磁波、磁界または粒子、光場または粒子、あるいはそれらのいずれかの組み合わせによって表わしてもよい。
【００５４】
さらに、当業者は、本明細書に開示した上記実施形態と共に説明した様々な例示的論理ブロック、モジュール、回路及びアルゴリズムステップを、電子ハードウェア、コンピュータソフトウェアまたはそれら両方の組み合わせとして実施することができることを正しく認識している。このハードウェアとソフトウェアの互換性を明確に説明するために、様々な例示的コンポーネント、ブロック、モジュール、回路及びステップを、概してそれらの機能性に関して説明してきた。このような機能性を、ハードウェアとして実施するか、またはソフトウェアとして実施するかは、システム全体に課せられた特定の用途及び設計の制約による。当業者は、記載した機能性を、各特定の用途に対して種々の方法で実施してもよいが、このような実施の決定は、本発明の範囲からの逸脱を引き起こすものと解釈すべきではない。
【００５５】
本明細書に開示した上記実施形態と共に説明した様々な例示的論理ブロック、モジュール及び回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、個別ゲートまたはトランジスタ論理、個別ハードウェアコンポーネント、あるいは、本明細書に記載した機能を実行するように設計されたそれらのいずれかの組合せを用いて、実施または実行することができる。汎用プロセッサは、マイクロプロセッサとしてもよいが、代替例において、前記プロセッサは、従来のどのようなプロセッサ、コントローラ、マイクロプロセッサまたは状態機械とすることもできる。また、プロセッサは、演算デバイスの組合せ、例えば、ＤＳＰとマイクロプロセッサの組合せ、複数のマイクロプロセッサ、ＤＳＰコアと１つ以上のマイクロプロセッサの併用、あるいは他のいずれかのそのような構成として実施することができる。
【００５６】
本明細書に開示した上記実施形態と共に説明した方法またはアルゴリズムのステップは、直接ハードウェアに、プロセッサによって実行されるソフトウェアモジュールに、またはそれら２つの組合せに組み込むことができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の記憶媒体の任意の他の形態に属してもよい。例示的な記憶媒体は、プロセッサが情報を、前記記憶媒体から読出し、かつ前記記憶媒体に書込むことができるように、前記プロセッサに結合されている。代替例においては、前記記憶媒体は、前記プロセッサと一体化してもよい。前記プロセッサ及び記憶媒体は、ＡＳＩＣ内にあってもよい。
【００５７】
また、上記開示した実施形態の上記説明は、当業者が本発明を作成または利用できるように記載されている。それらの実施形態に対する様々な変更は、当業者には容易に理解できるものであり、本明細書で定義した包括的な原理は、本発明の趣旨または範囲から逸脱することなく、他の実施形態に適用することができる。従って、本発明は、本明細書に示した実施形態に限定しようとするものではなく、本明細書に開示した原理及び新規な特徴と一致する最も広い範囲を認容すべきである。
【００５８】
「例示的な」という言葉は、本明細書において、「実施例、具体例または例証として扱うこと」を意味するのに使用されている。本明細書に「例示的」として記載されたどの実施形態も、必ずしも他の実施形態よりも好適なまたは有利なものとして解釈する必要はない。
【図面の簡単な説明】
【００５９】
【図１】無線通信ネットワークにおけるいくつかのハードウェアコンポーネント及び相互接続のブロック図である。
【図２】例示的なディジタルデータ処理マシンのブロック図である。
【図３】例示的な信号保持媒体の平面図である。
【図４】無線移動局のハードウェアコンポーネント及び相互接続のブロック図である。
【図５】移動局の動作状態を示す状態図である。
【図６】移動局と様々な近くの基地局との関係を示す図である。
【図７】アクティブセット、候補セット及び非候補隣接セットの関係を示すブロック図である。
【図８】ウェークアップサイクルとスリープサイクルの関係、及びウェークアップサイクルのサブコンポーネントを含むＩＤＬＥモードイベントを示す、タイムラインである。
【図９】移動局によって実行される周波数探索動作を示すフローチャートである。
【図１】
2006509471.tif 000003
【図２】
2006509471.tif 000004
【図３】
2006509471.tif 000005
【図４】
2006509471.tif 000006
【図５】
2006509471.tif 000007
【図６】
2006509471.tif 000008
【図７】
2006509471.tif 000009
【図８】
2006509471.tif 000010
【図９】
2006509471.tif 000011
【国際調査報告】
2006509471.tif 000012
2006509471.tif 000013
2006509471.tif 000014